【手続補正書】
【提出日】平成19年7月30日(2007.7.30)
【手続補正１】
【補正対象書類名】明細書
【補正対象項目名】特許請求の範囲
【補正方法】変更
【補正の内容】
【特許請求の範囲】
【請求項１】  相互に接続可能でそれぞれ優先順位が与えられかつ所定の操作を行う操作部を有する複数の電子機器のうち一の電子機器に設けられる優先順位決定装置であって、
前記複数の電子機器の接続状態の変化を検出する接続状態検出手段と、
前記接続状態検出手段による変化の検出に応答して他の電子機器と通信を行うことにより接続状態の変化後に接続されている電子機器を識別する第１の識別手段と、
前記第１の識別手段により識別された各電子機器の優先順位に基づいて前記一の電子機器が最も高い優先順位を有するか否かを判別する第１の判別手段と、
前記第１の判別手段により前記一の電子機器が最も高い優先順位を有すると判別された場合に前記操作部の操作を許可し、前記第１の判別手段により前記一の電子機器が最も高い優先順位を有さないと判別された場合に前記操作部の操作を禁止する第１の操作許可禁止手段とを備え、
前記複数の電子機器を識別する識別情報に優先順位が予め設定され、
前記第１の識別手段は、
前記接続状態検出手段による変化の検出に応答して接続状態の変化後に接続されている他の電子機器から識別情報を受信するとともに、接続状態の変化後に接続されている他の電子機器に自己の識別情報を送信する第１の通信手段を含み、
前記第１の判別手段は、
前記通信手段により受信された他の電子機器の識別情報を自己の識別情報と比較することにより前記一の電子機器が最も高い優先順位を有するか否かを判別する第１の比較手段を含むことを特徴とする優先順位決定装置。
【請求項２】  前記第１の通信手段により受信された他の電子機器の識別情報に基づいて相互に接続されている電子機器を示す機器接続情報を記憶する記憶手段をさらに備え、
前記操作部は、前記記憶手段に記憶された機器接続情報に基づいて接続されている電子機器を操作する機能を有することを特徴とする請求項１記載の優先順位決定装置。
【請求項３】  相互に接続されている複数の電子機器の電源の状態の変化を検出する電源状態検出手段と、
前記電源状態検出手段による変化の検出に応答して接続されている他の電子機器と通信を行うことにより電源の状態の変化後に接続されている電子機器のうち電源がオン状態の電子機器を識別する第２の識別手段と、
前記第２の識別手段により識別された各電子機器の優先順位に基づいて前記一の電子機器が最も高い優先順位を有するか否か判別する第２の判別手段と、
前記第２の判別手段により前記一の電子機器が最も高い優先順位を有すると判別された場合に前記操作部の操作を許可し、前記第２の判別手段により前記一の電子機器が最も高い優先順位を有さないと判別された場合に前記操作部の操作を禁止する第２の操作許可禁止手段とをさらに備えたことを特徴とする請求項１または２記載の優先順位決定装置。
【請求項４】  前記第２の識別手段は、
前記電源状態検出手段による変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信する第２の通信手段を含み、
前記第２の判別手段は、
前記第２の通信手段により受信された他の電子機器の電源情報および自己の電源情報に基づいて、電源がオン状態である電子機器の識別情報を比較することにより電源がオン状態である電子機器のうち前記一の電子機器が最も高い優先順位を有するか否かを判別する第２の比較手段を含むことを特徴とする請求項３記載の優先順位決定装置。
【請求項５】  前記操作部は、音声認識操作を行う音声認識操作部を含むことを特徴とする請求項１〜４のいずれかに記載の優先順位決定装置。
【請求項６】  相互に接続可能でそれぞれ優先順位が与えられかつ所定の操作を行う操作部を有する複数の電子機器のうち一の電子機器に設けられる優先順位決定装置であって、
相互に接続されている複数の電子機器の電源の状態の変化を検出する電源状態検出手段と、
前記電源状態検出手段による変化の検出に応答して接続されている他の電子機器と通信を行うことにより電源の状態の変化後に接続されている電子機器のうち電源がオン状態の電子機器を識別する識別手段と、
前記識別手段により識別された各電子機器の優先順位に基づいて前記一の電子機器が最も高い優先順位を有するか否か判別する判別手段と、
前記判別手段により前記一の電子機器が最も高い優先順位を有すると判別された場合に前記操作部の操作を許可し、前記判別手段により前記一の電子機器が最も高い優先順位を有さないと判別された場合に前記操作部の操作を禁止する操作許可禁止手段とを備え、
前記複数の電子機器を識別する識別情報に優先順位が予め設定され、
前記識別手段は、
前記電源状態検出手段による変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信する通信手段を含み、
前記判別手段は、
前記通信手段により受信された他の電子機器の電源情報および自己の電源情報に基づいて、電源がオン状態である電子機器の識別情報を比較することにより電源がオン状態である電子機器のうち前記一の電子機器が最も高い優先順位を有するか否かを判別する比較手段を含むことを特徴とする優先順位決定装置。
【請求項７】  前記通信手段により受信された他の電子機器の識別情報に基づいて相互に接続されている電子機器を示す機器接続情報を記憶する記憶手段をさらに備え、
前記操作部は、前記記憶手段に記憶された機器接続情報に基づいて接続されている電子機器を操作する機能を有することを特徴とする請求項６記載の優先順位決定装置。
【請求項８】  前記操作部は、音声認識操作を行う音声認識操作部を含むことを特徴とする請求項６または７記載の優先順位決定装置。
【請求項９】  相互に接続可能でそれぞれ優先順位が与えられかつ所定の操作を行う操作部を有する複数の電子機器のうち一の電子機器に設けられる優先順位決定方法であって、
前記複数の電子機器の接続状態の変化を検出するステップと、
前記変化の検出に応答して他の電子機器と通信を行うことにより接続状態の変化後に接続されている電子機器を識別するステップと、
前記識別された各電子機器の優先順位に基づいて前記一の電子機器が最も高い優先順位を有するか否かを判別するステップと、
前記一の電子機器が最も高い優先順位を有すると判別された場合に前記操作部の操作を許可し、前記一の電子機器が最も高い優先順位を有さないと判別された場合に前記操作部の操作を禁止するステップとを備え、
前記複数の電子機器を識別する識別情報に優先順位が予め設定され、
前記識別するステップは、
前記接続状態の変化を検出するステップによる変化の検出に応答して接続状態の変化後に接続されている他の電子機器から識別情報を受信するとともに、接続状態の変化後に接続されている他の電子機器に自己の識別情報を送信するステップを含み、
前記判別するステップは、
前記通信手段により受信された他の電子機器の識別情報を自己の識別情報と比較することにより前記一の電子機器が最も高い優先順位を有するか否かを判別するステップを含むことを特徴とする優先順位決定方法。
【請求項１０】  前記受信された他の電子機器の識別情報に基づいて相互に接続されている電子機器を示す機器接続情報を記憶するステップをさらに備え、
前記操作部は、前記記憶された機器接続情報に基づいて接続されている電子機器を操作することを特徴とする請求項９記載の優先順位決定方法。
【請求項１１】  相互に接続可能でそれぞれ優先順位が与えられかつ所定の操作を行う操作部を有する複数の電子機器のうち一の電子機器に設けられる優先順位決定方法であって、
相互に接続されている複数の電子機器の電源の状態の変化を検出するステップと、
前記電源の状態の変化を検出するステップによる変化の検出に応答して接続されている他の電子機器と通信を行うことにより電源の状態の変化後に接続されている電子機器のうち電源がオン状態の電子機器を識別するステップと、
前記電源がオン状態の電子機器を識別するステップにより識別された各電子機器の優先順位に基づいて前記一の電子機器が最も高い優先順位を有するか否か判別するステップと、
前記一の電子機器が最も高い優先順位を有すると判別された場合に前記操作部の操作を許可し、前記一の電子機器が最も高い優先順位を有さないと判別された場合に前記操作部の操作を禁止するステップとを備え、
前記複数の電子機器を識別する識別情報に優先順位が予め設定され、
前記識別するステップは、
前記変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信するステップを含み、
前記判別するステップは、
前記受信された他の電子機器の電源情報および自己の電源情報に基づいて、電源がオン状態である電子機器の識別情報を比較することにより電源がオン状態である電子機器のうち前記一の電子機器が最も高い優先順位を有するか否かを判別するステップを含むことを特徴とする優先順位決定装方法。
【請求項１２】  前記受信された他の電子機器の識別情報に基づいて相互に接続されている電子機器を示す機器接続情報を記憶するステップをさらに備え、
前記操作部は、前記記憶された機器接続情報に基づいて接続されている電子機器を操作することを特徴とする請求項１１記載の優先順位決定方法。
【請求項１３】  相互に接続可能でそれぞれ優先順位が与えられかつ所定の操作を行う操作部を有する複数の電子機器のうち一の電子機器内の処理装置により実行される優先順位決定プログラムであって、
前記複数の電子機器の接続状態の変化を検出する処理と、
前記変化の検出に応答して他の電子機器と通信を行うことにより接続状態の変化後に接続されている電子機器を識別する処理と、
前記識別された各電子機器の優先順位に基づいて前記一の電子機器が最も高い優先順位を有するか否かを判別する処理と、
前記一の電子機器が最も高い優先順位を有すると判別された場合に前記操作部の操作を許可し、前記一の電子機器が最も高い優先順位を有さないと判別された場合に前記操作部の操作を禁止する処理とを、前記処理装置に実行させ、
前記複数の電子機器を識別する識別情報に優先順位が予め設定され、
前記識別する処理は、
前記接続状態の変化を検出する処理による変化の検出に応答して接続状態の変化後に接続されている他の電子機器から識別情報を受信するとともに、接続状態の変化後に接続されている他の電子機器に自己の識別情報を送信する処理を含み、
前記判別する処理は、
前記受信された他の電子機器の識別情報を自己の識別情報と比較することにより前記一の電子機器が最も高い優先順位を有するか否かを判別する処理を含むことを特徴とする優先順位決定プログラム。
【請求項１４】  前記受信された他の電子機器の識別情報に基づいて相互に接続されている電子機器を示す機器接続情報を記憶する処理をさらに備え、
前記操作部は、前記記憶された機器接続情報に基づいて接続されている電子機器を操作することを特徴とする請求項１３記載の優先順位決定プログラム。
【請求項１５】  相互に接続可能でそれぞれ優先順位が与えられかつ所定の操作を行う操作部を有する複数の電子機器のうち一の電子機器内の処理装置により実行される優先順位決定プログラムであって、
相互に接続されている複数の電子機器の電源の状態の変化を検出する処理と、
前記電源の状態の変化を検出する処理による変化の検出に応答して接続されている他の電子機器と通信を行うことにより電源の状態の変化後に接続されている電子機器のうち電源がオン状態の電子機器を識別する処理と、
前記識別された各電子機器の優先順位に基づいて前記一の電子機器が最も高い優先順位を有するか否か判別する処理と、
前記一の電子機器が最も高い優先順位を有すると判別された場合に前記操作部の操作を許可し、前記一の電子機器が最も高い優先順位を有さないと判別された場合に前記操作部の操作を禁止する処理とを、前記処理装置に実行させ、
前記複数の電子機器を識別する識別情報に優先順位が予め設定され、
前記識別する処理は、
前記変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信する処理を含み、
前記判別する処理は、
前記受信された他の電子機器の電源情報および自己の電源情報に基づいて、電源がオン状態である電子機器の識別情報を比較することにより電源がオン状態である電子機器のうち前記一の電子機器が最も高い優先順位を有するか否かを判別する処理を含むことを特徴とする優先順位決定プログラム。
【請求項１６】  前記受信された他の電子機器の識別情報に基づいて相互に接続されている電子機器を示す機器接続情報を記憶する処理をさらに備え、
前記操作部は、前記記憶された機器接続情報に基づいて接続されている電子機器を操作することを特徴とする請求項１５記載の優先順位決定プログラム。
【手続補正２】
【補正対象書類名】明細書
【補正対象項目名】００２３
【補正方法】変更
【補正の内容】
【００２３】
【課題を解決するための手段】
（１）第１の発明に係る優先順位決定装置は、相互に接続可能でそれぞれ優先順位が与えられかつ所定の操作を行う操作部を有する複数の電子機器のうち一の電子機器に設けられる優先順位決定装置であって、複数の電子機器の接続状態の変化を検出する接続状態検出手段と、接続状態検出手段による変化の検出に応答して他の電子機器と通信を行うことにより接続状態の変化後に接続されている電子機器を識別する第１の識別手段と、第１の識別手段により識別された各電子機器の優先順位に基づいて一の電子機器が最も高い優先順位を有するか否かを判別する第１の判別手段と、第１の判別手段により一の電子機器が最も高い優先順位を有すると判別された場合に操作部の操作を許可し、第１の判別手段により一の電子機器が最も高い優先順位を有さないと判別された場合に操作部の操作を禁止する第１の操作許可禁止手段とを備え、複数の電子機器を識別する識別情報に優先順位が予め設定され、第１の識別手段は、接続状態検出手段による変化の検出に応答して接続状態の変化後に接続されている他の電子機器から識別情報を受信するとともに、接続状態の変化後に接続されている他の電子機器に自己の識別情報を送信する第１の通信手段を含み、第１の判別手段は、通信手段により受信された他の電子機器の識別情報を自己の識別情報と比較することにより一の電子機器が最も高い優先順位を有するか否かを判別する第１の比較手段を含むものである。
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】変更
【補正の内容】
【００２７】
また、接続状態検出手段による変化の検出に応答して接続状態の変化後に接続されている他の電子機器からの識別情報が通信手段により受信されるとともに、接続状態の変化後に接続されている他の電子機器へ通信手段により自己の識別情報が送信される。そして、通信手段により受信された他の電子機器の識別情報が自己の識別情報と比較手段により比較されることにより自己の電子機器が最も高い優先順位を有するか否かが判別される。
【手続補正５】
【補正対象書類名】明細書
【補正対象項目名】００２９
【補正方法】変更
【補正の内容】
【００２９】
（２）第２の発明に係る優先順位決定装置は、第１の発明に係る優先順位決定装置の構成において、通信手段により受信された他の電子機器の識別情報に基づいて相互に接続されている電子機器を示す機器接続情報を記憶する記憶手段をさらに備え、操作部は、記憶手段に記憶された機器接続情報に基づいて接続されている電子機器を操作する機能を有するものである。
【手続補正６】
【補正対象書類名】明細書
【補正対象項目名】００３２
【補正方法】変更
【補正の内容】
【００３２】
（３）第３の発明に係る優先順位決定装置は、第１または第２の発明に係る優先順位決定装置の構成において、相互に接続されている複数の電子機器の電源の状態の変化を検出する電源状態検出手段と、電源状態検出手段による変化の検出に応答して接続されている他の電子機器と通信を行うことにより電源の状態の変化後に接続されている電子機器のうち電源がオン状態の電子機器を識別する識別手段と、識別手段により識別された各電子機器の優先順位に基づいて一の電子機器が最も高い優先順位を有するか否か判別する判別手段と、判別手段により一の電子機器が最も高い優先順位を有すると判別された場合に操作部の操作を許可し、判別手段により一の電子機器が最も高い優先順位を有さないと判別された場合に操作部の操作を禁止する操作許可禁止手段とをさらに備えるものである。
【手続補正７】
【補正対象書類名】明細書
【補正対象項目名】００３５
【補正方法】変更
【補正の内容】
【００３５】
（４）第４の発明に係る優先順位決定装置は、第３の発明に係る優先順位決定装置の構成において、識別手段は、電源状態検出手段による変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信する通信手段を含み、判別手段は、通信手段により受信された他の電子機器の電源情報および自己の電源情報に基づいて、電源がオン状態である電子機器の識別情報を比較することにより電源がオン状態である電子機器のうち一の電子機器が最も高い優先順位を有するか否かを判別する比較手段を含むものである。
【手続補正８】
【補正対象書類名】明細書
【補正対象項目名】００３８
【補正方法】変更
【補正の内容】
【００３８】
（５）第５の発明に係る優先順位決定装置は、第１〜第４のいずれかの発明に係る優先順位決定装置の構成において、操作部は、音声認識操作を行う音声認識操作部を含むものである。
【手続補正９】
【補正対象書類名】明細書
【補正対象項目名】００４０
【補正方法】変更
【補正の内容】
【００４０】
（６）第６の発明に係る優先順位決定装置は、相互に接続可能でそれぞれ優先順位が与えられかつ所定の操作を行う操作部を有する複数の電子機器のうち一の電子機器に設けられる優先順位決定装置であって、相互に接続されている複数の電子機器の電源の状態の変化を検出する電源状態検出手段と、電源状態検出手段による変化の検出に応答して接続されている他の電子機器と通信を行うことにより電源の状態の変化後に接続されている電子機器のうち電源がオン状態の電子機器を識別する識別手段と、識別手段により識別された各電子機器の優先順位に基づいて一の電子機器が最も高い優先順位を有するか否か判別する判別手段と、判別手段により一の電子機器が最も高い優先順位を有すると判別された場合に操作部の操作を許可し、判別手段により一の電子機器が最も高い優先順位を有さないと判別された場合に操作部の操作を禁止する操作許可禁止手段とを備え、複数の電子機器を識別する識別情報に優先順位が予め設定され、識別手段は、電源状態検出手段による変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信する通信手段を含み、判別手段は、通信手段により受信された他の電子機器の電源情報および自己の電源情報に基づいて、電源がオン状態である電子機器の識別情報を比較することにより電源がオン状態である電子機器のうち一の電子機器が最も高い優先順位を有するか否かを判別する比較手段を含むものである。
【手続補正１０】
【補正対象書類名】明細書
【補正対象項目名】００４３
【補正方法】削除
【補正の内容】
【手続補正１１】
【補正対象書類名】明細書
【補正対象項目名】００４４
【補正方法】変更
【補正の内容】
【００４４】
また、電源状態検出手段による変化の検出に応答して接続状態の変化後に接続されている他の電子機器からの識別情報および電源情報が通信手段により受信されるとともに、電源状態の変化後に接続されている他の電子機器へ通信手段により自己の識別情報および電源情報が送信される。そして、電源がオン状態である電子機器の識別情報が比較手段により比較されることにより、自己の電子機器が最も高い優先順位を有するか否かが判別される。
【手続補正１２】
【補正対象書類名】明細書
【補正対象項目名】００４６
【補正方法】変更
【補正の内容】
【００４６】
（７）第７の発明に係る優先順位決定装置は、第６の発明に係る優先順位決定装置の構成において、通信手段により受信された他の電子機器の識別情報に基づいて相互に接続されている電子機器を示す機器接続情報を記憶する記憶手段をさらに備え、操作部は、記憶手段に記憶された機器接続情報に基づいて接続されている電子機器を操作する機能を有するものである。
【手続補正１３】
【補正対象書類名】明細書
【補正対象項目名】００４９
【補正方法】変更
【補正の内容】
【００４９】
（８）第８の発明に係る優先順位決定装置は、第６または第７の発明に係る優先順位決定装置の構成において、操作部は、音声認識操作を行う音声認識操作部を含むものである。
【手続補正１４】
【補正対象書類名】明細書
【補正対象項目名】００５１
【補正方法】変更
【補正の内容】
【００５１】
（９）第９の発明に係る優先順位決定方法は、相互に接続可能でそれぞれ優先順位が与えられかつ所定の操作を行う操作部を有する複数の電子機器のうち一の電子機器に設けられる優先順位決定方法であって、複数の電子機器の接続状態の変化を検出するステップと、変化の検出に応答して他の電子機器と通信を行うことにより接続状態の変化後に接続されている電子機器を識別するステップと、識別された各電子機器の優先順位に基づいて一の電子機器が最も高い優先順位を有するか否かを判別するステップと、一の電子機器が最も高い優先順位を有すると判別された場合に操作部の操作を許可し、一の電子機器が最も高い優先順位を有さないと判別された場合に操作部の操作を禁止するステップとを備え、複数の電子機器を識別する識別情報に優先順位が予め設定され、識別するステップは、接続状態の変化を検出するステップによる変化の検出に応答して接続状態の変化後に接続されている他の電子機器から識別情報を受信するとともに、接続状態の変化後に接続されている他の電子機器に自己の識別情報を送信するステップを含み、判別するステップは、通信手段により受信された他の電子機器の識別情報を自己の識別情報と比較することにより一の電子機器が最も高い優先順位を有するか否かを判別するステップを含むものである。
【手続補正１５】
【補正対象書類名】明細書
【補正対象項目名】００５４
【補正方法】削除
【補正の内容】
【手続補正１６】
【補正対象書類名】明細書
【補正対象項目名】００５５
【補正方法】変更
【補正の内容】
【００５５】
また、変化の検出に応答して接続状態の変化後に接続されている他の電子機器からの識別情報が受信されるとともに、接続状態の変化後に接続されている他の電子機器へ自己の識別情報が送信される。そして、受信された他の電子機器の識別情報が自己の識別情報と比較されることにより自己の電子機器が最も高い優先順位を有するか否かが判別される。
【手続補正１７】
【補正対象書類名】明細書
【補正対象項目名】００５７
【補正方法】変更
【補正の内容】
【００５７】
（１０）第１０の発明に係る優先順位決定方法は、第９の発明に係る優先順位決定方法において、受信された他の電子機器の識別情報に基づいて相互に接続されている電子機器を示す機器接続情報を記憶するステップをさらに備え、操作部は、記憶された機器接続情報に基づいて接続されている電子機器を操作するものである。
【手続補正１８】
【補正対象書類名】明細書
【補正対象項目名】００６０
【補正方法】変更
【補正の内容】
【００６０】
（１１）第１１の発明に係る優先順位決定方法は、相互に接続可能でそれぞれ優先順位が与えられかつ所定の操作を行う操作部を有する複数の電子機器のうち一の電子機器に設けられる優先順位決定方法であって、相互に接続されている複数の電子機器の電源の状態の変化を検出するステップと、電源の状態の変化を検出するステップによる変化の検出に応答して接続されている他の電子機器と通信を行うことにより電源の状態の変化後に接続されている電子機器のうち電源がオン状態の電子機器を識別するステップと、電源がオン状態の電子機器を識別するステップにより識別された各電子機器の優先順位に基づいて一の電子機器が最も高い優先順位を有するか否か判別するステップと、一の電子機器が最も高い優先順位を有すると判別された場合に操作部の操作を許可し、一の電子機器が最も高い優先順位を有さないと判別された場合に操作部の操作を禁止するステップとを備え、複数の電子機器を識別する識別情報に優先順位が予め設定され、識別するステップは、変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信するステップを含み、判別するステップは、受信された他の電子機器の電源情報および自己の電源情報に基づいて、電源がオン状態である電子機器の識別情報を比較することにより電源がオン状態である電子機器のうち一の電子機器が最も高い優先順位を有するか否かを判別するステップを含むものである。
【手続補正１９】
【補正対象書類名】明細書
【補正対象項目名】００６３
【補正方法】削除
【補正の内容】
【手続補正２０】
【補正対象書類名】明細書
【補正対象項目名】００６４
【補正方法】変更
【補正の内容】
【００６４】
また、変化の検出に応答して接続状態の変化後に接続されている他の電子機器からの識別情報および電源情報が受信されるとともに、電源状態の変化後に接続されている他の電子機器へ自己の識別情報および電源情報が送信される。そして、電源がオン状態である電子機器の識別情報が比較されることにより、自己の電子機器が最も高い優先順位を有するか否かが判別される。
【手続補正２１】
【補正対象書類名】明細書
【補正対象項目名】００６６
【補正方法】変更
【補正の内容】
【００６６】
（１２）第１２の発明に係る優先順位決定方法は、第１１の発明に係る優先順位決定方法において、受信された他の電子機器の識別情報に基づいて相互に接続されている電子機器を示す機器接続情報を記憶するステップをさらに備え、操作部は、記憶された機器接続情報に基づいて接続されている電子機器を操作するものである。
【手続補正２２】
【補正対象書類名】明細書
【補正対象項目名】００６９
【補正方法】変更
【補正の内容】
【００６９】
（１３）第１３の発明に係る優先順位決定プログラムは、相互に接続可能でそれぞれ優先順位が与えられかつ所定の操作を行う操作部を有する複数の電子機器のうち一の電子機器内の処理装置により実行される優先順位決定プログラムであって、複数の電子機器の接続状態の変化を検出する処理と、変化の検出に応答して他の電子機器と通信を行うことにより接続状態の変化後に接続されている電子機器を識別する処理と、識別された各電子機器の優先順位に基づいて一の電子機器が最も高い優先順位を有するか否かを判別する処理と、一の電子機器が最も高い優先順位を有すると判別された場合に操作部の操作を許可し、一の電子機器が最も高い優先順位を有さないと判別された場合に操作部の操作を禁止する処理とを、処理装置に実行させ、複数の電子機器を識別する識別情報に優先順位が予め設定され、識別する処理は、接続状態の変化を検出する処理による変化の検出に応答して接続状態の変化後に接続されている他の電子機器から識別情報を受信するとともに、接続状態の変化後に接続されている他の電子機器に自己の識別情報を送信する処理を含み、判別する処理は、受信された他の電子機器の識別情報を自己の識別情報と比較することにより一の電子機器が最も高い優先順位を有するか否かを判別する処理を含むものである。
【手続補正２３】
【補正対象書類名】明細書
【補正対象項目名】００７２
【補正方法】削除
【補正の内容】
【手続補正２４】
【補正対象書類名】明細書
【補正対象項目名】００７３
【補正方法】変更
【補正の内容】
【００７３】
また、変化の検出に応答して接続状態の変化後に接続されている他の電子機器からの識別情報が受信されるとともに、接続状態の変化後に接続されている他の電子機器へ自己の識別情報が送信される。そして、受信された他の電子機器の識別情報が自己の識別情報と比較されることにより自己の電子機器が最も高い優先順位を有するか否かが判別される。
【手続補正２５】
【補正対象書類名】明細書
【補正対象項目名】００７５
【補正方法】変更
【補正の内容】
【００７５】
（１４）第１４の発明に係る優先順位決定プログラムは、第１３の発明に係る優先順位決定プログラムにおいて、受信された他の電子機器の識別情報に基づいて相互に接続されている電子機器を示す機器接続情報を記憶する処理をさらに備え、操作部は、記憶された機器接続情報に基づいて接続されている電子機器を操作するものである。
【手続補正２６】
【補正対象書類名】明細書
【補正対象項目名】００７８
【補正方法】変更
【補正の内容】
【００７８】
（１５）第１５の発明に係る優先順位決定プログラムは、相互に接続可能でそれぞれ優先順位が与えられかつ所定の操作を行う操作部を有する複数の電子機器のうち一の電子機器内の処理装置により実行される優先順位決定プログラムであって、相互に接続されている複数の電子機器の電源の状態の変化を検出する処理と、電源の状態の変化を検出する処理による変化の検出に応答して接続されている他の電子機器と通信を行うことにより電源の状態の変化後に接続されている電子機器のうち電源がオン状態の電子機器を識別する処理と、識別された各電子機器の優先順位に基づいて一の電子機器が最も高い優先順位を有するか否か判別する処理と、一の電子機器が最も高い優先順位を有すると判別された場合に操作部の操作を許可し、一の電子機器が最も高い優先順位を有さないと判別された場合に操作部の操作を禁止する処理とを、処理装置に実行させ、複数の電子機器を識別する識別情報に優先順位が予め設定され、識別する処理は、変化の検出に応答して電源の状態の変化後に接続されている他の電子機器から識別情報を電源の状態を示す電源情報とともに受信し、かつ接続状態の変化後に接続されている他の電子機器に自己の識別情報とともに自己の電源の状態を示す電源情報を送信する処理を含み、判別する処理は、受信された他の電子機器の電源情報および自己の電源情報に基づいて、電源がオン状態である電子機器の識別情報を比較することにより電源がオン状態である電子機器のうち一の電子機器が最も高い優先順位を有するか否かを判別する処理を含むものである。
【手続補正２７】
【補正対象書類名】明細書
【補正対象項目名】００８１
【補正方法】削除
【補正の内容】
【手続補正２８】
【補正対象書類名】明細書
【補正対象項目名】００８２
【補正方法】変更
【補正の内容】
【００８２】
また、変化の検出に応答して接続状態の変化後に接続されている他の電子機器からの識別情報および電源情報が受信されるとともに、電源状態の変化後に接続されている他の電子機器へ自己の識別情報および電源情報が送信される。そして、電源がオン状態である電子機器の識別情報が比較されることにより、自己の電子機器が最も高い優先順位を有するか否かが判別される。
【手続補正２９】
【補正対象書類名】明細書
【補正対象項目名】００８４
【補正方法】変更
【補正の内容】
【００８４】
（１６）第１６の発明に係る優先順位決定プログラムは、第１５の発明に係る優先順位決定プログラムにおいて、受信された他の電子機器の識別情報に基づいて相互に接続されている電子機器を示す機器接続情報を記憶する処理をさらに備え、操作部は、記憶された機器接続情報に基づいて接続されている電子機器を操作するものである。
【手続補正３０】
【補正対象書類名】明細書
【補正対象項目名】００８７
【補正方法】削除
【補正の内容】
【手続補正３１】
【補正対象書類名】明細書
【補正対象項目名】００８８
【補正方法】削除
【補正の内容】